(57)【特許請求の範囲】
【請求項１】
画像信号の輝度を不均一化して画像にきめをだすための輝度不均一化手段と、前記画像信号のうち周囲の輝度よりも高輝度部分の輝度を低減する高輝度低減手段と、これ等輝度不均一化手段と高輝度領域低減手段との出力を足し合わせて出力する出力手段とを含み、
前記輝度不均一化手段は、前記画像信号の各画素の輝度情報に対して時間的に変化のない平面的な輝度のばらつき特性を有する輝度不均一減衰フィルタであることを特徴とする画像信号処理装置。
【請求項２】
前記高輝度領域低減手段は、前記高輝度部分の画素を隣接する画素の輝度の平均値に補正する輝度補正手段であることを特徴とする請求項１記載の画像信号処理装置。
【請求項３】
前記高輝度領域低減手段は、前記高輝度部分の画素をより低い所定輝度に補正する輝度補正手段であることを特徴とする請求項１記載の画像信号処理装置。
【請求項４】
画像信号の輝度を不均一化して画像にきめをだすための輝度不均一化ステップと、前記画像信号のうち周囲の輝度よりも高輝度部分の輝度を低減する高輝度領域低減ステップと、これ等輝度不均一化ステップと高輝度領域低減ステップにより得られた出力を足し合わせて出力する出力ステップとを含み、
前記輝度不均一化ステップにおいては、前記画像信号の各画素の輝度情報を、時間的に変化のない平面的な輝度のばらつきを有する輝度不均一減衰フィルタをとおすようにしたことを特徴とする画像信号処理方法。
【請求項５】
前記高輝度領域低減ステップは、前記高輝度部分の画素を隣接する画素の輝度の平均値に補正するようにしたことを特徴とする請求項４記載の画像信号処理方法。
【請求項６】
前記高輝度領域低減ステップは、前記高輝度部分の画素を隣接する画素をより低い所定輝度に補正するようにしたことを特徴とする請求項４記載の画像信号処理方法。
【発明の詳細な説明】
【０００１】
【発明の属する技術分野】
本発明は画像信号処理装置及びその処理方法に関し、特にディスプレイに表示すべき画像信号を利用者であるユーザに対して見易くするための画像処理を行うビデオ用コントローラに使用される画像信号処理装置及びその処理方法に関するものである。
【０００２】
【従来の技術】
実物の色の見えに比べ、ディスプレイを通して表示された物体の色の見えは、光源に近いため、まぶしく感じ、物体の距離感がつかみにくくなるので、目が疲労しやすい。ディスプレイにはブライトネスやコントラストを調整する機能があり、ディスプレイ全体のブライトネスやコントラストが変わるが、色の見えにはあまり変化がみられないため、ブライトネスとコントラストを大幅に下げるか、まぶしさを我慢して使用する以外に方法がない。
【０００３】
【発明が解決しようとする課題】
そこで、本発明はかかる従来技術の問題点を解消すべくなされたものであって、その目的とするところは、眩しく見える色の見えを、眩しく見えにくい色の見えに変換処理することで、目の疲れを低減するようにした画像信号処理装置及びその処理方法を提供することにある。
【０００４】
【課題を解決するための手段】
本発明によれば、画像信号の輝度を不均一化して画像にきめをだすための輝度不均一化手段と、前記画像信号のうち周囲の輝度よりも高輝度部分の輝度を低減する高輝度低減手段と、これ等輝度不均一化手段と高輝度領域低減手段との出力を足し合わせて出力する出力手段とを含み、前記輝度不均一化手段は、前記画像信号の各画素の輝度情報に対して時間的に変化のない平面的な輝度のばらつき特性を有する輝度不均一減衰フィルタであることを特徴とする画像信号処理装置が得られる。
【０００５】
そして、前記高輝度領域低減手段は、前記高輝度部分の画素を隣接する画素の輝度の平均値に補正する輝度補正手段であるか、または、前記高輝度部分の画素をより低い所定輝度に補正する輝度補正手段であることを特徴とする。
【０００６】
本発明によれば、画像信号の輝度を不均一化して画像にきめをだすための輝度不均一化ステップと、前記画像信号のうち周囲の輝度よりも高輝度部分の輝度を低減する高輝度領域低減ステップと、これ等輝度不均一化ステップと高輝度領域低減ステップにより得られた出力を足し合わせて出力する出力ステップとを含み、前記輝度不均一化ステップにおいては、前記画像信号の各画素の輝度情報を、時間的に変化のない平面的な輝度のばらつきを有する輝度不均一減衰フィルタをとおすようにしたことを特徴とする画像信号処理方法が得られる。
【０００７】
そして、前記高輝度領域低減ステップは、前記高輝度部分の画素を隣接する画素の輝度の平均値に補正するか、または、前記高輝度部分の画素を隣接する画素をより低い所定輝度に補正するようにしたことを特徴とする。
【０００８】
本発明の作用を述べる。本発明による画像信号処理方式は、眩しさ防止機能付きビデオ用コントローラに適用されるものであって、このビデオ用コントローラ内部に「眩しく見える色の見え」を「眩しく見えにくい色の見え」に変換する色の見え変換手段を設ける。この色の見え変換手段は、画面上の輝度を不均一にすることで、均一輝度の領域を減らし表面に木目（きめ）を出し、隣接する領域の輝度と比較して著しく輝度が高い領域は、その領域の輝度を下げて隣接する領域との輝度の差を小さくするものである。
【０００９】
【発明の実施の形態】
以下に、本発明の実施の形態につき図面を参照しつつ説明する。図１を参照すると、処理対象の画像１は色見え変換手段３をとおることにより「眩しく見えにくい色の見え」の画像２に変換される。
【００１０】
ここで、変換前の画像１の色は均一であるので、ディスプレイ上に表示された画像に距離感がなく眩しく見えるのに対し、色の見え変換手段３による変換後の画像２は、この色の見え変換手段３により輝度にばらつきが与えられるために、画像に木目（きめ）が現れ、眩しく見えにくくなる。また、領域１ａは領域周辺１ｂと比較して著しく輝度が高いので、眩しく見えるのに対して、色の見え変換手段３による色の見え変換後の領域２ａは、輝度が落とされるために眩しく見えにくくなる。
【００１１】
図２を参照すると、本発明の実施例としての眩しさ防止機能付きビデオ用コントローラの概略構成が示されている。ビデオ用コントローラ９は、画像情報バッファ４と、色の見え変換手段３と、眩しさ低減情報バッファ８とを有する。画像情報バッファ４に蓄えられた画像は色の見え変換手段３において眩しく見えにくい色の見えに変換され、眩しさ低減情報バッファ８に一時的に格納された後、ディスプレイ装置（図示せず）に出力される。
【００１２】
色の見え変換手段３は、輝度不均一化手段６と、その出力を一時的に格納する眩しさ低減情報バッファ８ａと、更には高輝度領域低減手段７と、その出力を一時的に格納する眩しさ低減情報バッファ８ｂとを有する。
【００１３】
画像情報バッファ４の画像情報は、輝度不均一化手段６において画像情報上の輝度情報に対し多少の輝度のばらつきを与え、眩しさ低減情報バッファ８ａに一時的に格納される。この輝度不均一化手段６について説明する。図３に示す様に、画像情報バッファ４の画像情報１は、輝度不均一化手段６において画像情報上の輝度情報に対し乱数的に多少のばらつきを与えるフィルタ６１を経由し、画像情報２′として眩しさ低減情報バッファ８ａに一時的に格納される。
【００１４】
具体的には、画像情報バッファ４上の各画素の輝度情報に対して、時間的に変化のない平面的な輝度のばらつき特性を有する輝度不均一減衰フィルタ６１を設ける。例えば、画像情報バッファ４が等輝度の画面を表す場合、この輝度不均一減衰フィルタ６１を透過させることで、低減情報バッファ８ａには、図３に示す様に、輝度にむらのある画像情報が得られることになる。
【００１５】
一方、画像情報バッファ４の画像情報１は高輝度領域低減手段７にも送られ、周囲の輝度より著しく高輝度領域の輝度が低減され、眩しさ低減情報バッファ８ｂに一時的に格納される。この高輝度領域低減手段７は周囲の輝度より著しく高輝度の領域の輝度を低減するための高輝度補正回路７１を有している。
【００１６】
この高輝度補正回路７１は、周囲の輝度よりも所定閾値以上の高輝度を有する画素の輝度を補正して低減するようになっており、その補正方法の第一の例としては、例えば、対象画素に隣接する画素の輝度の平均輝度になる様に、当該対象画素を補正するものである。
【００１７】
また、この高輝度補正回路７１の補正方法の第二の例としては、対象画素の輝度を所定値だけ減衰せしめて輝度低下をなすよう補正するようにすることもできる。この第二の例は、図４に示す様に、高輝度領域１ａが広い範囲に渡る場合に有効であるが、先の第一の例は、高輝度領域が狭い範囲に適用できる。この補正回路７１の出力２″は眩しさ低減情報バッファ８ｂに一時的に格納される。
【００１８】
眩しさ低減情報バッファ８ａと眩しさ低減情報バッファ８ｂとに格納された情報２′及び２″は、足し合わされて眩しさ低減情報バッファ８に送られてディスプレイ装置に出力され、表示されるのである。
【００１９】
本発明の他の実施例として、その基本的構成は上記の通りであるが、眩しさ低減情報バッファについてさらに工夫している。色の見え変換手段３において、輝度不均一化フィルタ６１と高輝度補正回路７１とを作成し、これ等輝度不均一化フィルタ６１と高輝度補正回路７１との両出力を足し合わせる回路を作成する。そして、画像情報バッファ４からこれら回路を通した画像情報を直接ディスプレイに出力することにより、図１に示した眩しさ低減情報バッファ８ａ、眩しさ低減情報バッファ８ｂ、眩しさ低減情報バッファ８を省略することができる。
【００２０】
【発明の効果】
本発明による第１の効果は、目が疲れにくいことである。その理由は、色の見え変換手段を設けることにより、ディスプレイ画面が眩しく見えず物体の距離感がつかめるからである。
【００２１】
また、本発明による第２の効果は、ディスプレイ装置のブライトネスやコントラスト調節機能を明るさ・コントラストを変えるという本来の目的のために使用できることである。その理由は、従来の技術ではディスプレイ装置に表示された画像が眩しく見えやすいため、ブライトネスとコントラストを大幅に下げて、眩しく見えにくいようにする必要があったからである。
【図面の簡単な説明】
【図１】本発明の実施の形態の概略構成を示すブロック図である。
【図２】本発明の実施例のブロック図である。
【図３】図２の輝度不均一化手段の例を説明する図である。
【図４】図２の高輝度領域低減手段の例を説明する図である。
【符号の説明】
１  画像情報バッファの出力
２  眩しさ低減情報バッファ８の出力
２′  眩しさ低減情報バッファ８ａの出力
２″  眩しさ低減情報バッファ８ｂの出力
３  色見え変換手段
４  画像情報バッファ
６  輝度不均一化手段
７  高輝度領域低減手段
８，８ａ，８ｂ  眩しさ低減情報バッファ
６１  輝度不均一化フィルタ
７１  高輝度補正回路
【図１】
0003596410.tif 000002
【図２】
0003596410.tif 000003
【図３】
0003596410.tif 000004
【図４】
0003596410.tif 000005